(57)【要約】【課題】  一対の基板の間隙におけるシール材近傍においてギャップむらが発生することを防止することにより、表示むらの発生を防止して高品質な表示を行う。【解決手段】  一対の基板を有し、一方の基板は他方の基板よりも平面上大きく形成された突出部を有し、各基板における表示領域の周辺部分の非表示領域に、表示領域に設けられる表示用電極の端部と接続される引出電極およびダミー電極が設けられ、各基板が非表示領域においてシール材により一体に形成されている液晶表示パネルであって、前記ダミー電極のうち、表示領域を介して突出部と対向する位置の非表示領域に設けられているダミー電極を、突出部の突出方向と直交する方向の表示領域中心線を基準として、突出部側の非表示領域に設けられている引出電極と線対称となる位置および形状に形成する。【選択図】      図１
2005070657.tif 000002
【特許請求の範囲】
【請求項１】
一対の基板を有し、一方の基板は他方の基板よりも平面状大きく形成された突出部を有し、各基板における表示領域に表示用電極が設けられ、各基板における表示領域の周辺部分の非表示領域に、表示用電極が設けられ、各基板における表示領域の周辺部分の非表示領域に、表示用電極の端部と接続される引出電極およびダミー電極が設けられ、引出電極に接続された電極端子が突出部に設けられ、各基板が非表示領域においてシール材により一体に形成されている液晶表示パネルであって、
前記ダミー電極のうち、表示領域を介して突出部と対向する位置の非表示領域に設けられているダミー電極が、突出部の突出方向と直交する方向の表示領域中心線を基準として、突出部側の非表示領域に設けられている引出電極と線対称となる位置および形状に形成されていることを特徴とする液晶表示パネル。
【請求項２】
前記ダミー電極のうち、突出部の突出方向と直交する方向に位置する対向非表示領域にそれぞれ設けられているダミー電極と引出電極とが、突出部の突出方向と平行な方向の表示領域中心線を基準として、略対称となる位置に形成され、該非表示領域におけるダミー電極と引出電極との占有面積が略等しくなるようにされている請求項１に記載の液晶表示パネル。
【発明の詳細な説明】
【技術分野】
【０００１】
本発明は、非表示領域においてダミー電極が設けられている液晶表示パネルに関する。
【背景技術】
【０００２】
従来より、携帯電話やパーソナルコンピュータの表示手段として液晶表示パネルを備えた液晶表示装置が多用されている。
【０００３】
図３は従来の液晶表示パネルを示す模式的平面図であり、図３に示すように、前記液晶表示パネル２１は一対の基板２２を有し、これら各基板２２のうち液晶表示パネル２１として表示を行う部分は表示領域２３とされ、前記表示領域２３の周辺部分であって液晶表示パネル２１として表示を行わない部分は非表示領域２４とされている。
【０００４】
前記各基板２２の表示領域２３における相互に対向する面には、複数の表示用電極２６が設けられており、これら各表示用電極２６は、非表示領域２４において引き回されて表示領域２３に至り再度非表示領域２４に延設されている。そして、この非表示領域２４において引き回されている部分は引出電極２７とされ、非表示領域２４に延設されている部分はダミー電極２８とされている。
【０００５】
また、前記各表示用電極２６、引出電極２７およびダミー電極２８の相互に対向する面には、ラビング処理が施された配向膜が設けられている。そして、これら一対の基板２２は、該各基板２２の相互に対向する面における周辺部の非表示領域２４に設けられたシール材３１により一体に形成され、このシール材３１に囲まれた面内には、液晶３２および複数のスペーサ(図示せず）が封入されている。
【０００６】
しかし、前述の各基板２２において、各ダミー電極２８は、表示領域２３に設けられた表示用電極２６が単に非表示領域２４にまで延設されることにより設けられている。このため、例えば、前記ダミー電極２８のうち表示領域２３を介して突出部と対向する位置の非表示領域２４に設けられているダミー電極２８は、突出部の突出方向と直交する方向の表示領域中心線を基準として、突出部側非表示領域に設けられている引出電極２７と線対称とならない位置および形状に形成されている。このため、対向非表示領域２４におけるダミー電極２８と突出部側の非表示領域の引出電極２７との非表示領域２４における占有面積が異なり、ギャップを制御するスペーサを均一に配置することができないという問題を有していた。
【０００７】
そして、このような場合には前記各基板２２の間隙における前記ダミー電極２８等が線対称に配置されていない部分、すなわちシール材３１の近傍においてギャップむらが発生してしまうおそれがある。この結果、液晶表示パネル２１におけるシール材３１の近傍において表示むらが生じて良好な表示を行うことができなくなってしまうという問題を有していた。
【発明の開示】
【発明が解決しようとする課題】
【０００８】
本発明はこれらの点に鑑みてなされたものであり、一対の基板の間隙におけるシール材の近傍においてギャップむらが発生することを防止することにより、表示むらの発生を防止して高品質な表示を行うことができる液晶表示パネルを提供することを目的とする。
【課題を解決するための手段】
【０００９】
前記目的を達成するため、請求項１に記載の発明に係る液晶表示パネルの特徴は、一対の基板を有し、一方の基板は他方の基板よりも平面形状大きく形成された突出部を有し、各基板における表示領域に表示用電極が設けられ、各基板における表示領域の周辺部分の非表示領域に、表示用電極の端部と接続される引出電極およびダミー電極が設けられ、引出電極に接続された電極端子が突出部に設けられ、各基板が非表示領域においてシール材により一体に形成されている液晶表示パネルであって、前記ダミー電極のうち、表示領域を介して突出部と対向する位置の非表示領域に設けられているダミー電極が、突出部の突出方向と直交する方向の表示領域中心線を基準として、突出部側の非表示領域に設けられている引出電極と線対称となる位置および形状に形成されている点にある。
【００１０】
この請求項１に記載の発明によれば、突出方向と平行な方向に位置し、表示領域を介して対向する各非表示領域において、各ダミー電極や各引出電極上に各スペーサを均一に配置させることができる。
【００１１】
また、請求項２に記載の発明に係る液晶表示パネルの特徴は、前記ダミー電極のうち、突出部の突出方向と直交する方向に位置する対向非表示領域にそれぞれ設けられているダミー電極と引出電極とが、突出部の突出方向と平行な方向の表示領域中心線を基準として、略対称となる位置に形成され、該非表示領域におけるダミー電極と引出電極との占有面積が略等しくなるように形成されている点にある。
【００１２】
この請求項２に記載の発明によれば、突出部の突出方向と直交する方向に位置し、表示領域を介して対向する各非表示領域において、各ダミー電極や各引出電極に各スペーサを均一に配置させることができる。
【発明の効果】
【００１３】
以上述べたように、請求項１に記載の発明に係る液晶表示パネルによれば、各ダミー電極および引出電極上に各スペーサを均一に配置することができるので、各基板の間隙におけるシール材の近傍に発生してしまうギャップむらを確実に防止することができる。これにより、液晶表示パネルは、シール材の近傍において発生する表示むらを防止し、高品質な表示を行うことができる。
【００１４】
また、請求項２に記載の発明に係る液晶表示パネルによれば、各ダミー電極および引出電極上に各スペーサを均一に配置することができるので、各基板の間隙におけるシール材の近傍に発生してしまうギャップむらを確実に防止することができる。これにより、液晶表示パネルは、シール材の近傍において表示むらが発生することを防止し、高品質な表示を行うことができる。
【発明を実施するための最良の形態】
【００１５】
以下、本発明に係る液晶表示パネルの一実施形態を図１および図２を参照して説明する。
【００１６】
図１は、本実施形態に係る液晶表示パネルのうち視認側の基板の電極配線を示す平面図であり、図２は図１の液晶表示パネルのうち反視認側の基板の電極配線を示す平面図である。
【００１７】
図１および図２に示すように、本液晶表示パネル１は、ガラス等からなる一対の透明基板２ａ、２ｂを有し、前記各透明基板２ａ、２ｂのうち反視認側の透明基板２ａは視認側の透明基板２ｂよりも平面上大きく形成された突出部３を有している。
【００１８】
前記各透明基板２ａ、２ｂのうち視認側の透明基板２ｂにおける表示領域８であって反視認側の透明基板２ａに対向する面には、ＩＴＯ（Indium Tin Oxide：インジウムスズ酸化物）等からなる複数の表示用電極１３が設けられている。前記透明基板２ｂにおける前記突出部３の突出方向と平行な方向に位置する非表示領域６には、引出電極１４が引き回されて表示領域８に至り前記表示用電極１３に接続されるように設けられている。
【００１９】
また、前記各引出電極１４が設けられた非表示領域６と前記表示領域８を介して対向する非表示領域６には、前記表示用電極１３に接続されたダミー電極１５が設けられており、これらダミー電極１５は、突出部３の突出方向と直交する方向の表示領域中心線を基準として、前記各引出電極１４の配置位置と線対称となる位置および形状に形成されるように設けられている。
【００２０】
また、前記反視認側の透明基板２ａにおける表示領域８であって視認側の透明基板２ｂに対向する面には、複数の表示用電極５が設けられている。前記透明基板２ａのうち前記突出部３の突出方向と直交する方向に位置する各非表示領域６には、引出電極７が引き回されて表示領域８に至り前記表示用電極５に接続されるように設けられている。また、各引出電極７は、前記突出部３に延設されて電極端子９とされている。
【００２１】
さらに、前記透明基板２ａにおける前記各引出電極７が設けられた非表示領域６であって前記各引出電極７が配置されていない部分には、複数のダミー電極１１が設けられており、突出部３の突出方向と直交する方向に位置する対向非表示領域６にそれぞれ設けられているダミー電極１１と引出電極７とは、突出部３の突出方向と平行な方向の表示領域中心線を基準として略対称となる位置に形成され、該非表示領域６におけるダミー電極１１と引出電極７の占有面積が略等しくなるように設けられている。
【００２２】
これらダミー電極１１は、前記各表示用電極５に延設させることにより形成されるものであってもよいし、前記各表示用電極５とは独立して形成されるものであってもよい。
【００２３】
そして、前記各透明基板２ａ、２ｂにおける前記各表示用電極５、１３等が対向する面には、所定方向にラビング処理が施された配向膜（図示せず）が設けられている。
【００２４】
これら一対の基板２ａ、２ｂは、前記各基板２ａ、２ｂの相互に対向する面における周辺部に設けられたシール材１９により一体に形成され、このシール材１９に囲まれた面内には、液晶１８および複数のスペーサ(図示せず）が封入されている。
【００２５】
そして、前記視認側の透明基板２ｂに設けられた各引出電極１４は、図示しないトランスファー材を介して前記反視認側の透明基板２ａの突出部３に設けられた各電極端子２０に接続されるようになっており、前記各電極端子９、２０は図示しない液晶駆動用ＩＣやフレキシブル配線基板等の各出力端子に接続されるようになっている。
【００２６】
特に、非表示領域６のうち前記突出部３の突出方向と直交する方向に位置し、表示領域８を介して対向する非表示領域６に設けられたシール材１９の配置位置において、前記ダミー電極１５と前記引出電極１４とがそれぞれ突出部３の突出方向と平行な方向の表示領域中心線を基準として略対称となる位置に形成され、該非表示領域６におけるダミー電極１５と引出電極１４との占有面積が略等しくなるように形成されていることが好ましい。
【００２７】
次に、本実施形態の作用について説明する。
【００２８】
本実施形態によれば、視認側の基板２ｂ上における表示領域８を介して対向する前記突出部３の突出方向と平行に位置する各非表示領域６において、突出部３の突出方向と直交する方向の表示領域中心線を基準として、引出電極１４とダミー電極１５とがそれぞれ線対称となる位置および形状に形成されているので、前記引出電極１４および前記ダミー電極１５において各スペーサを均一に配置させることができる。また、前記各非表示領域６においてシール材１９内のギャップを同じ高さとなるように配置することができるので、前記シール材１９の近傍における各基板２ａ、２ｂのギャップむらの発生を防止することができる。
【００２９】
さらに、反視認側の基板２ａ上における表示領域８を介して対向する突出部の突出方向と直交する方向に位置する各非表示領域６において引出電極７およびダミー電極１１がそれぞれ突出部３の突出方向と平行な方向の表示領域中心線を基準として略対称となる位置に形成され、該非表示領域６におけるダミー電極１１と引出電極７との占有面積が等しくなるように形成されているので、前記引出電極７および前記ダミー電極１１において各スペーサを均一に配置させることができる。また、前記各非表示領域６においてシール材１９内のギャップを同じ高さとなるように配置することができるので、前記シール材１９の近傍における各基板２ａ、２ｂのギャップむらの発生を防止することができる。
【００３０】
したがって、各基板２ａ、２ｂの間隙におけるシール材１９の近傍に発生するギャップむらを防止することができ、これにより、液晶表示パネル１は、シール材１９の近傍において表示むらが発生することを防止し、高品質な表示を行うことができる。
【００３１】
例えば、従来の１つの基板上における表示領域を介して対向する各非表示領域において各ダミー電極等がそれぞれ線対称となる位置に配置されるように設けられていない各基板を４．８μｍの間隙をもって対向するように配置した液晶表示パネルにおいては、５５０個の液晶表示パネルのうち２１％の液晶表示パネルにおいて表示むらの発生が確認された。また、前記各基板の間隙の公差範囲を±０．1μｍとしたとき、１０％の液晶表示パネルが公差範囲外であることが確認された。
【００３２】
一方、本発明に係る各基板２ａ、２ｂを従来と同一寸法の間隙をもって配置した液晶表示パネルにおいては、２７００個の液晶表示パネルのうち２％の液晶表示パネルの表示むらの発生が確認された。また、１％の液晶表示パネルが公差範囲外であることが確認された。
【００３３】
この結果、従来と比較してギャップむらの発生率が大幅に減少し、公差範囲外の液晶表示パネルの発生率も大幅に減少した。
【００３４】
なお、本発明は前記実施形態に限定されるものではなく、必要に応じて種々変更することが可能である。
【００３５】
例えば、図２に示す本実施形態の液晶表示パネル１の反視認側の基板２ａのダミー電極１１は、非表示領域６のシール材１９の配置位置内であれば、引出電極７間に形成してもよいし、引出電極７よりも内側の位置に形成してもよい。
【図面の簡単な説明】
【００３６】
【図１】本発明に係る液晶表示パネルのうち一方の基板の電極配線を示す模式的平面図
【図２】図１の液晶表示パネルのうち他方の基板の電極配線を示す模式的平面図
【図３】従来の液晶表示パネルのうち両方の基板の電極配線を示す模式的平面図
【符号の説明】
【００３７】
１  液晶表示パネル
２ａ、２ｂ  透明基板
５、１３  表示用電極
６  非表示領域
７、１４  引出電極
８  表示領域
１１、１５  ダミー電極
１８  液晶
１９  シール材
【図１】
2005070657.tif 000003
【図２】
2005070657.tif 000004
【図３】
2005070657.tif 000005
【手続補正書】
【提出日】平成15年9月5日(2003.9.5)
【手続補正１】
【補正対象書類名】特許請求の範囲
【補正対象項目名】請求項１
【補正方法】変更
【補正の内容】
【請求項１】
一対の基板を有し、一方の基板は他方の基板よりも平面状大きく形成された突出部を有し、各基板における表示領域に表示用電極が設けられ、各基板における表示領域の周辺部分の非表示領域に、表示用電極の端部と接続される引出電極およびダミー電極が設けられ、引出電極に接続された電極端子が突出部に設けられ、各基板が非表示領域においてシール材により一体に形成されている液晶表示パネルであって、
前記ダミー電極のうち、表示領域を介して突出部と対向する位置の非表示領域に設けられているダミー電極が、突出部の突出方向と直交する方向の表示領域中心線を基準として、突出部側の非表示領域に設けられている引出電極と線対称となる位置および形状に形成されていることを特徴とする液晶表示パネル。